(57)【特許請求の範囲】
【請求項１】
上面に天板と加熱調理機器およびシンクを備え、側面に前記天板を支持する側板を備えたキッチンユニット本体と、
前記キッチンユニット本体を床面上で移動可能に支持する車輪と、
前記床面上に固定された固定部材と、
前記床面から立ち上げられ、前記加熱調理機器およびシンクに接続される複数の配管を備え、
前記固定部材は、前記キッチンユニット本体が移動したときも常に前記側板に囲まれる前記床面上に固定され、
前記複数の配管は、前記キッチンユニット本体が移動したときも常に前記側板に囲まれる前記床面から立ち上げられており、
前記キッチンユニット本体の側板に囲まれた部分で、当該キッチンユニット本体の移動方向に並行に回転軸を向けた雄ねじが、前記側板に固定された軸受けに支持され、前記軸受けに螺合したナットが、前記固定部材に固定され、前記雄ねじを手動で回転させるハンドルが設けられていることを特徴とするキッチンユニット。
【請求項２】
上面に天板と加熱調理機器およびシンクを備え、側面に前記天板を支持する側板を備えたキッチンユニット本体と、
前記キッチンユニット本体を床面上で移動可能に支持する車輪と、
前記床面上に固定された固定部材と、
前記床面から立ち上げられ、前記加熱調理機器およびシンクに接続される複数の配管を備え、
前記固定部材は、前記キッチンユニット本体が移動したときも常に前記側板に囲まれる前記床面上に固定され、
前記複数の配管は、前記キッチンユニット本体が移動したときも常に前記側板に囲まれる前記床面から立ち上げられ、
前記キッチンユニット本体の側板に囲まれた部分で、当該キッチンユニット本体の移動方向に並行に回転軸を向けた雄ねじが、前記側板に固定された軸受けに支持され、前記軸受けに螺合したナットが、前記固定部材に固定され、前記雄ねじを自動的に回転させるモータが設けられていることを特徴とするキッチンユニット。
【請求項３】
請求項１または２に記載のキッチンユニットにおいて、
前記床面には、この床面に対して傾斜した坂道を形成するガイドレールが設けられ、
前記キッチンユニット本体を床面上で支持する車輪は、前記ガイドレール上で前記キッチンユニット本体を移動させることを特徴とするキッチンユニット。
【請求項４】
請求項１または２に記載のキッチンユニットにおいて、
前記キッチンユニット本体の、前記側板に囲まれた場所に、前記キッチンユニット本体が移動したときに前記固定部材と衝突する障壁が配置され、
この障壁によって、前記キッチンユニット本体の移動方向と移動量とが規制されていることを特徴とするキッチンユニット。
【請求項５】
請求項１または２に記載のキッチンユニットにおいて、
前記固定部材は少なくとも一個設けられ、
前記複数の配管は、前記床面から前記固定部材を貫通して、立ち上げられていることを特徴とするキッチンユニット。
【発明の詳細な説明】
【技術分野】
【０００１】
本発明は、キッチンユニット本体を自由に移動することができるキッチンユニットに関する。
【背景技術】
【０００２】
近年、システムキッチンの分野において、調理をしながらリビングルームやダイニングルームを見渡すことができる、対面式キッチンユニットが開発された（ 特許文献１）。壁に向かって調理をする従来のキッチンを、対面式キッチンにリフォームしたいとする要望も多い。しかし、対面式キッチンはスペースを広く必要とする。従って、リビングルームやダイニングルームの居住空間を圧迫することがある。【０００３】
そこで、必要に応じて、キッチンユニット本体を移動する構造が開発された。例えば、移動可能なキッチンキャビネットに、補助カウンターを出し入れ自在に設けたもの（特許文献２）、移動可能なキッチンユニットの配管口の構造を工夫すること（特許文献３）、ローラ、車輪あるいはレールを用いて、キッチンユニット本体を移動する構造（特許文献４）、システムキッチン本体に補助カウンター出し入れ機構を設けること（特許文献５）等の技術が知られている。
【先行技術文献】
【特許文献】
【０００４】
【特許文献１】特開２００６−２８８４７５号公報
【特許文献２】実開平７−１８３５号公報
【特許文献３】特開２００４−２９３０５５号公報
【特許文献４】特開２００６−２８８４７５号公報
【特許文献５】特開２００６−８１５７９号公報
【発明の概要】
【発明が解決しようとする課題】
【０００５】
上記の特許文献に紹介されたキッチンユニットでは、システムキッチンを移動させるための機構が、キッチンユニットの設置スペースの外側に露出している。従って、これらの機構が邪魔になり、キッチンスペースの有効利用を妨げる。【０００６】
さらに、システムキッチンには、混合水栓付き流し台、ガスレンジ、ガスオーブン、食器洗い機、電子レンジ等、水回り設備や調理装置等の各種厨房機器が設置されている。従って、システムキッチンを移動させるには、ガスコンセント、電気コンセント、給水コンセント、給湯コンセント、排水コンセント等を、移動先の床面に移し替える煩雑な作業が要求される。【０００７】
また、キッチンユニットを移動可能にすると、地震等の際に不意に移動したり、転倒したりするおそれがある。従って、しっかり固定されていることが安全上必要である。本発明は、上記のような課題を解決するためになされたものである。
【課題を解決するための手段】
【０００８】
以下の構成はそれぞれ上記の課題を解決するための手段である。
〈構成１〉
上面に天板と加熱調理機器およびシンクを備え、側面に前記天板を支持する側板を備えたキッチンユニット本体と、前記キッチンユニット本体を床面上で移動可能に支持する車輪と、前記床面上に固定された固定部材と、前記床面から立ち上げられ、前記加熱調理機器およびシンクに接続される複数の配管を備え、前記固定部材は、前記キッチンユニット本体が移動したときも常に前記側板に囲まれる前記床面上に固定され、前記複数の配管は、前記キッチンユニット本体が移動したときも常に前記側板に囲まれる前記床面から立ち上げられていることを特徴とするキッチンユニット。【０００９】
〈構成２〉
構成１に記載のキッチンユニットにおいて、前記キッチンユニット本体の、前記側板に囲まれた場所に、前記キッチンユニット本体が移動したときに前記固定部材と衝突する障壁が配置され、この障壁によって、前記キッチンユニット本体の移動方向と移動量とが規制されていることを特徴とするキッチンユニット。【００１０】
〈構成３〉
構成２に記載のキッチンユニットにおいて、前記障壁は、前記キッチンユニット本体の側板に囲まれた場所に配置され、前記キッチンユニット本体が移動したときに前記固定部材と衝突する枠であることを特徴とするキッチンユニット。【００１１】
〈構成４〉
構成２に記載のキッチンユニットにおいて、前記障壁は、前記キッチンユニット本体の側板に囲まれた場所に配置され、前記床面に対してほぼ平行に張り出したフックを備え、前記固定部材は、前記床面に対してほぼ平行な庇を備え、前記キッチンユニット本体が移動したとき、前記庇と前記床面とが、常に前記フックを挟むように配置されていることを特徴とするキッチンユニット。【００１２】
〈構成５〉
構成３または４に記載のキッチンユニットにおいて、前記固定部材は少なくとも一個設けられ、前記複数の配管は、前記床面から前記固定部材を貫通して、立ち上げられていることを特徴とするキッチンユニット。【００１３】
〈構成６〉
構成３または４に記載のキッチンユニットにおいて、前記固定部材は、一対設けられ、前記複数の配管は、一対の固定部材の間を結ぶ直線上の床面から立ち上げられ、前記キッチンユニット本体の移動方向は、前記障壁により前記直線と直角な方向に規制されていることを特徴とするキッチンユニット。【００１４】
〈構成７〉
構成１乃至６のいずれかに記載のキッチンユニットにおいて、前記床面には、この床面に対して傾斜した坂道を形成するガイドレールが設けられ、前記キッチンユニット本体を床面上で支持する車輪は、前記ガイドレール上で前記キッチンユニット本体を移動させることを特徴とするキッチンユニット。【００１５】
〈構成８〉
構成１乃至７のいずれかに記載のキッチンユニットにおいて、前記キッチンユニット本体の側板に囲まれた部分で、当該キッチンユニット本体の移動方向に並行に回転軸を向けた雄ねじが、前記側板に固定された軸受けに支持され、前記軸受けに螺合したナットが、前記固定部材に固定され、前記雄ねじを手動で回転させるハンドルが設けられていることを特徴とするキッチンユニット。【００１６】
〈構成９〉
構成１乃至７のいずれかに記載のキッチンユニットにおいて、前記キッチンユニット本体の側板に囲まれた部分で、当該キッチンユニット本体の移動方向に並行に回転軸を向けた雄ねじが、前記側板に固定された軸受けに支持され、前記軸受けに螺合したナットが、前記固定部材に固定され、前記雄ねじを自動的に回転させるモータが設けられていることを特徴とするキッチンユニット。【００１７】
〈構成１０〉
構成１乃至９のいずれかに記載のキッチンユニットにおいて、前記キッチンユニット本体の側板に囲まれた部分で、前記配管は、前記床面に近い直線部分と、前記天板に近い湾曲部分とを有し、前記湾曲部分は、押えリングを緩く支持する弛み防止機構を設けたことを特徴とするキッチンユニット。【００１８】
〈構成１１〉
構成１乃至１０のいずれかに記載のキッチンユニットにおいて、前記キッチンユニット本体には、前記側板に囲まれた部分に収納された状態から前記天板とほぼ平行な状態となるように引き出され、前記天板とほぼ平行な状態から前記側板に囲まれた部分に収納された状態になるように押し込まれる補助カウンターを設けたことを特徴とするキッチンユニット。【００１９】
〈構成１２〉
構成１乃至１１のいずれかに記載のキッチンユニットにおいて、前記キッチンユニット本体の上方に換気装置が設けられており、この換気装置は、排気ダクトに連なる円筒体と、この円筒体を軸にして回転自在に取り付けられたフードとを有し、このフードは、前記キッチンユニット本体が移動する前も、移動した後も、前記円筒体を軸にして回転させることにより、前記加熱調理機器の直上を覆う位置に配置されることを特徴とするキッチンユニット。
〈構成１３〉
構成２乃至１２のいずれかに記載のキッチンユニットにおいて、前記障壁は、前記キッチンユニット本体の側板に囲まれた場所に配置され、前記床面に対してほぼ平行に張り出したフックを備え、前記固定部材は、前記床面に対してほぼ平行な庇を備え、前記キッチンユニット本体が移動したとき、前記庇と前記床面とが、常に前記フックを挟むように配置され、前記固定部材が３個以上設けられ、かつ、キッチンユニット本体の位置を一時的に固定する機構を設けたことを特徴とするキッチンユニット。
【発明の効果】
【００２０】
〈構成１の効果〉
キッチンユニット本体を床面上で移動させる機構も、配管の立ち上げ部分も、キッチンユニット本体の側板に囲まれた部分にあるから、機構が邪魔にならず、外観が優れている。また、キッチンユニット本体を移動しても、給電、ガス、給水、給湯、排水等の各種配管の立ち上げ口を移動先に移し替える必要がない。
〈構成２の効果〉
固定部材と衝突する障壁をキッチンユニット本体側に配置して、移動方向と移動量を規制することができる。
〈構成３の効果〉
固定部材と衝突する障壁を枠のように構成することができる。
〈構成４の効果〉
キッチンユニット本体と固定部材とをフックにより連結しておくと、地震等の際に不意に移動したり転倒したりする事故を防止できる。
〈構成５の効果〉
固定部材を貫通して配管を立ち上げると、床面の工事が一箇所でできる。
〈構成６の効果〉
配管が、一対の固定部材の間を結ぶ直線上の床面から立ち上げられていると、キッチンユニット本体を移動したときに、配管に無理な力が及ばない。
〈構成７の効果〉
床面に対して傾斜した坂道を形成するガイドレール上で、キッチンユニット本体を移動させると、キッチンユニット本体の高さを変更することができる。
〈構成８の効果〉
ハンドルで雄ねじを回転させることにより、キッチンユニット本体を楽に移動させることができる。
〈構成９の効果〉
モータ等で雄ねじを回転させることにより、キッチンユニット本体を自動的に移動させることができる。
〈構成１０の効果〉
配管を天板に近い湾曲部分で複数の押えリングにより、緩く支持すると、配管に無理な力がかからず、緩みも防止できる。
〈構成１１の効果〉
キッチンユニット本体の内部から、補助カウンターを引き出して、天板を拡張し、食卓等に利用できる。
〈構成１２の効果〉
キッチンユニット本体を移動しても、換気装置のフードを回転させて、良好に換気ができる。
〈構成１３の効果〉
キッチンユニット本体の動きを３個以上の固定部材で規制して、ストッパ等で位置固定すると、地震等の発生時に動き出さないから、安全を確保できる。
【図面の簡単な説明】
【００２１】
【図１】実施例１のキッチンユニットの概要を示す図で、（ａ）は実施例１に係るキッチンユニット本体の移動前の状態を示す側面図、（ｂ）は同キッチンユニット本体の移動後の状態を示す側面図である。
【図２】同キッチンユニットの概要を示す図で、（ａ）は同キッチンユニット本体の移動後の状態を示す平面図、（ｂ）は同（ａ）のＡ部を示す平面図である。
【図３】同キッチンユニットの概要を示す図で、（ａ）は同キッチンユニット本体の移動後の状態を示す平面図、（ｂ）は（ａ）のＢ部を示す平面図である。
【図４】キッチンユニット本体の設置状況の説明図で、（ａ）は同キッチンユニット本体の移動前の状態を示す平面図、（ｂ）は同キッチンユニット本体の移動後の状態を、移動前の状態と共に示す平面図である。
【図５】同キッチンユニット本体の設置状況の説明図である。
【図６】同キッチンユニット本体の設置状況の一部分解斜視図である。
【図７】同キッチンユニット本体の動きを規制する固定部材を示す斜視図である。
【図８】（ａ）ないし（ｃ）はそれぞれ同キッチンユニット本体の底部に取り付けられるローラ回転体を示す図である。
【図９】同キッチンユニット本体を示す正面図である。
【図１０】同キッチンユニット本体で使用する補助カウンターとブラケットの動きを示す図で、（ａ）は補助カウンターとブラケットが動く前の状態を示す説明図、（ｂ）は補助カウンターとブラケットが動いた後の状態を示す説明図である。
【図１１】補助カウンターとブラケットの動きをガイドするガイド部材を示す図で、（ａ）はガイド部材を示す斜視図、（ｂ）はガイド部材の上部分の平面図、（ｃ）はガイド部材の下部分の平面図である。
【図１２】（ａ）は補助カウンターとブラケットを示す側面図、（ｂ）は補助カウンターとブラケットがガイド部材に収納された状態を示す側面図、（ｃ）はその平面図である。
【図１３】（ａ）ないし（ｆ）はそれぞれ同補助カウンターとブラケットの動きを示す説明図である。
【図１４】同キッチンユニット本体で使用する、他の補助カウンターとブラケットの動きを示す図で、（ａ）は補助カウンターとブラケットが動く前の状態を示す説明図、（ｂ）は補助カウンターとブラケットが動いた後の状態を示す説明図である。
【図１５】同キッチンユニット本体で使用する、さらに他の補助カウンターとブラケットの動きを示す図で、（ａ）は補助カウンターとブラケットが動く前の状態を示す説明図、（ｂ）は補助カウンターとブラケットが動いた後の状態を示す説明図である。
【図１６】キッチンユニット本体で使用するロック機構５８の基本動作の説明図である。
【図１７】キッチンユニット本体に収納された引出を固定している状態のロック機構を示す図で、（ａ）はロック機構を平面的に示す断面図、（ｂ）はロック機構を正面から見た状態を示す断面図、（ｃ）は補助カウンターとブラケットが動く前の状態を示す説明図である。
【図１８】ブラケットを介して補助カウンター２４を固定している状態のロック機構を示す図で、（ａ）はロック機構を平面的に示す断面図、（ｂ）はロック機構を正面から見た状態を示す断面図、（ｃ）は補助カウンターとブラケットが動いた後の状態を示す説明図である。
【図１９】他の操作ロッドを使用したロック機構の基本動作の説明図である。
【図２０】同ロック機構の動作状況の説明図である。
【図２１】同ロック機構の動作状況の説明図である。
【図２２】（ａ）はキッチンユニット本体で使用する本体送り機構を示す説明図、（ｂ）および（ｃ）は同本体送り機構の動作説明図ある。
【図２３】（ａ）ないし（ｃ）はそれぞれ同本体送り機構の各部の説明図である。
【図２４】本発明に係る本体送り機構を備えたキッチンユニット本体の他の例を示す図で、（ａ）は本体送り機構の動作前のキッチンユニット本体を示す説明図、（ｂ）は本体送り機構の動作後のキッチンユニット本体を示す説明図である。
【図２５】（ａ）は従来のキッチンユニット本体を使用した部屋の見取り図、（ｂ）および（ｃ）は本発明に係るキッチンユニット本体を使用した部屋の見取り図である。
【図２６】キッチンユニット本体で使用する本体送り機構の他の例をを示す説明図である。
【図２７】（ａ）はキッチンユニット本体の位置決め機構を示す斜視図、（ｂ）は同位置決め機構を分解して示す斜視図である。
【図２８】同位置決め機構に設けた車輪によりキッチンユニット本体の移動をスムーズにする構造を備えたキッチンユニット本体の設置状況の説明図で、（ａ）はキッチンユニットの縦断面図、（ｂ）は固定部材周辺の主要部斜視図である。
【図２９】（ａ）ないし（ｃ）はキッチンユニット本体の位置決め機構と、給水管および給湯管の弛み防止機構との構成および動作の説明図である。
【図３０】同弛み防止機構を構成する３個の押えリングを示す図で、（ａ）は３個の押えリングを展開し平面に並べた状態を示す説明図、（ｂ）は３個の押えリングを示す正面図である。
【図３１】（ａ）ないし（ｃ）は同弛み防止機構の動作の説明図である。
【図３２】（ａ）はキッチンユニット本体の移動規制機構を示す平面図、（ｂ）は同移動規制機構を構成する枠体を示す平面図、（ｃ）は同移動規制機構を構成する軸体を示す平面図、（ｄ）は同軸体を示す斜視図、（ｅ）は同移動規制機構を構成するスライダを示す斜視図である。
【図３３】同移動規制機構を示す図で、（ａ）は同スライダの動きを規制している状況の説明図、（ｂ）は同スライダの動きの規制を解除した状況の説明図、（ｃ）は同軸体の回転状況の説明図である。
【図３４】（ａ）および（ｂ）は同移動規制機構の使用状況を示す説明図である。
【図３５】（ａ）および（ｂ）は同移動規制機構の使用状況を示す説明図である。
【図３６】（ａ）は換気装置の斜視図、（ｂ）は同換気装置を上下方向に分解して示す斜視図である。
【図３７】（ａ）は換気装置を構成する回転機構を示す斜視図、（ｂ）は同平面図である。
【図３８】（ａ）および（ｂ）は同回転機構の一部を示す断面図である。
【図３９】キッチンユニット本体をモータを用いて移動させる機構の主要部斜視図である。
【発明を実施するための形態】
【００２２】
始めに、本発明の主要な構成と各部の名称と、それを説明する図面の関係を簡単に述べる。その後、これらの詳細を、実施例１以下で順番に説明する。
［キッチンユニット］
図１、図２、図３、および図２５を用いて、キッチンユニット全体の構成を説明する。本発明では、例えば、図１において、キッチンユニット１０は、キッチンユニット本体１２と、固定部材２８と、配管（図１ではフレキシブル配管３８と呼んでいる）と換気装置４２を含む。図４と図９を用いて、キッチンユニット本体の外観構成を説明する。キッチンユニット本体１２は、上面に天板１３と加熱調理機器１４およびシンク１６を備える。天板１３は、側板１７により床面上に支持されている。
【００２３】
［天板の周辺部分］
天板１３は、調理台として利用したり、あるいは、食卓の一部として利用することができる平坦なテーブル状の台である。加熱調理機器１４は、電気あるいはガス等により料理を加熱する器具である。シンク１６は、水や温水を流す水道の蛇口と食器等を洗浄した排水を受けるトレイ等により構成されている。加熱調理機器１４には電気やガスの配管が接続される。シンク１６には、水道管、給湯管、排水管等の配管が接続される。
【００２４】
［換気装置］
図１、図２、図３、図３６および図３７を用いて、換気装置４２の構成を説明する。換気装置４２は、図１に示したように、キッチンユニット本体１２の上方に設けられており、調理で発生した煙等を図示しない排気ダクトから排出するためのものである。本発明の換気装置４２は、排気ダクトに連なる円筒体４３と、この円筒体４３を軸にして回転自在に取り付けられたフード４４とを有する。フード４４は、煙等を円筒体４３に導く傘のような形状をしたものである。このフード４４は、キッチンユニット本体１２が移動する前も、移動した後も、円筒体４３を軸にして回転させることにより、加熱調理機器１４の直上を覆う位置に配置される。
【００２５】
［補助カウンター］
図１、図１０〜図２１を用いて、補助カウンターの構造とそれを引き出す機構を説明する。図１（ｂ）に示すように、補助カウンター２４は、天板１３を水平方向に拡張して、キッチンユニット本体１２を食卓として使用できるうようにするためのものである。補助カウンター２４は、側板１７に囲まれた部分に収納された状態から、天板１３とほぼ平行な状態となるように引き出されて使用される。また、補助カウンター２４は、、天板１３とほぼ平行な状態から側板１７に囲まれた部分に収納された状態になるように押し込まれて収納される。
【００２６】
［車輪］
図８を用いて、車輪の構成を説明する。キッチンユニット本体１２は、車輪により床面上で移動可能に支持されている。その移動方向と移動量とは、床面上に固定された固定部材２８により規制される。なお、図２２に示したように、床面に対して傾斜した坂道を形成するガイドレール１０８に沿って車輪を移動させることもできる。図２２中で、ローラ１０２は車輪に相当する。蓋板１２０は、床面を構成する。この構成により、キッチンユニット本体１２を移動させると天板の床面からの高さが自動的に変わる。
【００２７】
［固定部材］
図５、図６、図７、図２７、図２８、図３２、図３３、図３４および図３５を用いて、固定部材の構造を説明する。図５に示すように、固定部材２８は、キッチンユニット本体１２が、移動可能な範囲をどこに移動した場合でも、常に側板１７に囲まれる床面４５上に固定されている。
【００２８】
キッチンユニット本体１２には、キッチンユニット本体１２の移動方向と移動量とを規制するために、固定部材２８と衝突する障壁が配置されている。図５では、側板１７の下端にある突条部３２が障壁に該当する。図２８では、キッチンユニット本体１２に底板１６５が設けられ、固定部材１５０を固定部材１５０を取り囲む孔が形成されている。この底板１６５の孔や、孔の縁に固定されたガイド金具１６４が、障壁に該当する。この場合には、障壁が固定部材と衝突する枠になっている。
【００２９】
また、図３２や図３３の例では、枠体１７６が固定部材に該当する。そして、図３３において、キッチンユニット本体１２に固定された中間板１８２が、固定部材に衝突する障壁に該当する。図５、図６，図３２、図３３の場合には、障壁は、床面に対してほぼ平行に張り出したフックを備えている。図５、図６中で、突条部３２はフックに該当する。図３２、図３３中で、係合片１８６はフックに該当する。図５において、固定部材２８は、床面４５に対してほぼ平行な突出部３０を備える。この突出部３０は、庇に該当する。庇と床面とは常にフックを挟むように配置されている。即ち、突出部３０と床面４５とは、キッチンユニット本体が移動しても、常に突条部３２を挟むように配置されている。図３２、図３３中では、枠体１７６が床面４５に対してほぼ平行な庇状の部分を備えている。係合片１８６はキッチンユニット本体が移動しても、常に、床面４５上で枠体１７６に包囲されている。
【００３０】
上記の固定部材２８は、少なくとも一個設けられる。図５の例では、一対設けられている。図７の例では、固定部材は一個でも構わない。図５において、固定部材２８と配管立ち上げ口３６を同一直線上に一列に並べて配置しておくと、この直線と直角な方向にキッチンユニット本体を移動させたとき、移動量（距離）を大きくすることができる。また、図３４（ｂ）に示すように、２以上の固定部材の中間に移動規制機構１７５を配置すると、キッチンユニット本体の動きを３点以上で規制することができる。この移動規制機構１７５も、固定部材ということができる。図５や図３２等に示すフックを用いた形式の固定部材を３個以上使用すると、キッチンユニット本体が思わぬ方向に動き出さない。この構造は、地震が発生したときに利用者の安全を確保できる。ストッパ１８８（図３３）のように、キッチンユニット本体の位置を一時的に固する機構を設けると、ストッパが働いているときには、さらに安全な状態になる。また、図３９に示すような雄ねじを用いた移動機構を、移動規制機構１７５の場所に配置すると、より安全性が高い。
【００３１】
図２７に示すように、複数の配管を、床面から固定部材１５０を貫通するように、立ち上げることもできる。図２７において、配管立ち上げ口を同一直線上に一列に並べておくと、この直線と直角な方向にキッチンユニット本体を移動させたとき、配管に無理な力がかからない。
【００３２】
［配管］
図２９、図３０および図３１を用いて、配管の支持体の構成を説明する。各種の配管は、キッチンユニット本体１２が移動したときも、常に側板１７に囲まれる床面４５の一定の場所から立ち上げられている。従って、図２９に示したように、給湯管１５６等の配管は、キッチンユニット本体１２が移動するたびに折り曲げられる。その場合のストレスを緩和し、弛みを防止するために、弛み防止機構を設けた。各配管は、キッチンユニット本体１２の側板１７に囲まれた部分で、床面４５に近い直線部分と、天板に近い湾曲部分１７０とを有する。この湾曲部分１７０は、間隔を置いて配置された複数の押えリングにより、緩く支持される。これらの押えリングが弛み防止機構を構成する。なお、弛み防止機構は、湾曲部分１７０を緩く支持するものであればよい。配管よりも内径の大きなパイプで支持することもできる。スプリングのような柔軟な支持体で吊り下げることもできる。
［移動機構］
図２２、図２３、図２４、図２６および図３９を用いて、キッチンユニット本体の移動機構の構成を説明する。キッチンユニット本体１２は、手で押すだけで楽に移動できることが好ましい。しかし、キッチンユニット本体１２は、手動で操作するハンドルやモータ等により移動させることもできる。キッチンユニット本体の側板に囲まれた部分で、キッチンユニット本体の移動方向に平行に回転軸を向けた雄ねじ９６が、側板９５Ａ、９５Ｂに固定された軸受け１１０Ａ、１１０Ｂに支持されている。この軸受け１１０Ａ、１１０Ｂに螺合したナット９８が、固定部材１００に固定されている。図３９に示すように、雄ねじ９６を回転させるモータが設けられていれば、キッチンユニット本体１２は自動的に移動する。図２６に示すように、ハンドル１０１で雄ねじ９６を回転させれば、手動で、キッチンユニット本体１２を移動させることができる。これらの機構は、どの状態でも、キッチンユニット本体１２と固定部材１００との位置関係を一時的に固定する機能を持つ。即ち、外力で簡単に動き出さない。従って、図３４（ｂ）に示した、移動規制機構１７５と置き換えて使用することが最も好ましい。
【実施例１】
【００３３】
図１は実施例１のキッチンユニットの概要を示す図で、（ａ）は実施例１に係るキッチンユニット本体の移動前の状態を示す側面図、（ｂ）は同キッチンユニット本体の移動後の状態を示す側面図、図２は同キッチンユニットの概要を示す図で、（ａ）は同キッチンユニット本体の移動後の状態を示す平面図、（ｂ）は同（ａ）のＡ部を示す平面図、図３は同キッチンユニットの概要を示す図で、（ａ）は同キッチンユニット本体の移動後の状態を示す平面図、（ｂ）は（ａ）のＢ部を示す平面図である。【００３４】
これらの図において、キッチンユニット１０は、キッチンユニット本体１２をキッチン１８とダイニング２０等との間で、移動可能に設置される対面式のものである。キッチンユニット本体１２の上面には加熱調理機器１４、予備の加熱調理機器１５、シンク１６が設けられている。【００３５】
加熱調理機器１４、１５は、ガスコンロ式でもＩＨクッキングヒーター式でもよい。加熱調理機器１４、１５に対応する上方（天井）に、換気装置４２のフード４４が設けられている。【００３６】
キッチンユニット本体１２のキッチン１８側の正面空間２２に補助カウンター２４が収納されている。ここで、正面空間２２とは、キッチンユニット本体１２の調理場側外面に沿って上下方向に広がる空間である。
補助カウンター２４は、キッチンユニット本体の上面とほぼ平行な状態で使用される。補助カウンター２４がキッチンユニット本体の上面（天板）とほぼ同一面に沿った状態だけではなく、キッチンユニット本体の上面より１０数ｃｍ程度低いあるいは高い、かつ平行な状態でも使用できる。【００３７】
補助カウンター２４は、キッチンユニット本体１２の正面空間２２に沿って縦向きに配置されている。補助カウンター２４は、キッチンユニット本体１２の外面から外方に突出しないので、常時は邪魔にならない。【００３８】
補助カウンター２４は、図１（ａ）に示す縦向きの状態から移動されて図１（ｂ）に示すようにキッチンユニット本体１２の上面とほぼ同一面に沿った横向きの状態となる。補助カウンター２４は、このように出し入れ自在に設けられている。なお、符号２１は食器棚を示している。【００３９】
補助カウンター２４を利用する場合は、先ず、キッチンユニット本体１２を、図１（ａ）に示す状態から図１（ｂ）に示す状態となるまで適宜移動する。これで、キッチン１８に余裕の空間を設けた状態になる。次いで、補助カウンター２４をキッチンユニット本体１２の正面空間２２の上方に移動して、キッチンユニット本体１２の天板１３を実質的に拡大する。【００４０】
そして、補助カウンター２４の下に椅子２６を置くと、キッチンユニット本体１２上面を食卓として利用できる。なお、ダイニング２０等は、キッチン１８に隣接するリビングその他の居住空間を含んでいてもよい。【００４１】
換気装置４２は、キッチン１８の天井に固定された円筒体４３と、円筒体４３の下端に回転自在に取り付けられたフード４４とから構成されている。フード４４は、キッチンユニット本体１２の移動に伴う加熱調理機器１４の位置変動に応じて、回転される。フード４４は、図２（ｂ）に示す状態から図３（ｂ）に示す状態となるように円筒体４３を中心として偏心回動する。このようにフード４４を適宜回動することにより、加熱調理機器１４の使用により発生する排気を効率よく行なう。【００４２】
図３６ないし図３８に換気装置４２の具体的構成を示す。図３６（ａ）は換気装置４２の斜視図、同（ｂ）は換気装置４２を上下方向に分解して示す斜視図である。図３７（ａ）は換気装置４２を構成する回転機構を示す斜視図、同（ｂ）は同平面図である。図３８は同回転機構の一部を示す断面図である。【００４３】
これらの図に示すように、換気装置４２は、天井等に固定される円筒体４３と、円筒体４３の下端に取り付けられたフード４４と、円筒体４３とフード４４とを相対的に回転させる回転機構１４４とを備えている。フード４４は楕円形の盆型に形成されている。フード４４には、中心から偏った位置に透孔１４０が設けられ、この透孔１４０に円筒体４３が嵌入されている。【００４４】
回転機構１４４は、本体１４７と、２枚のリング状保持板１４８ａ、１４８ｂとから構成されている。本体１４７は、リング状基板１４５の周囲に適当間隔を置いて複数個の車輪１４６ａ、１４６ｂを回転自在に配設している。２枚のリング状保持板１４８ａ、１４８ｂは、本体１４７の上下面を覆うようにそれぞれ配設されている。【００４５】
本体１４７の複数個の車輪１４６ａ、１４６ｂは、交互に垂直向きと水平向きに配設されている。垂直向きに配設された車輪１４６ａは、その外周面が図３８（ａ）に示されるように下側のリング状保持板１４８ｂの水平部に当接する。また、水平向きに配設され車輪１４６ｂは、その外周面が図３８（ｂ）に示されるように下側のリング状保持板１４８ｂの垂直部に当接する。【００４６】
換気装置４２のフード４４は、回転機構１４４を介して支持されているので、円筒体４３を中心としてスムーズに偏心回転する。【００４７】
図４はキッチンユニット本体１２の設置状況の説明図で、（ａ）は同キッチンユニット本体の移動前の状態を示す平面図、（ｂ）は同キッチンユニット本体の移動後の状態を、移動前の状態と共に示す平面図、図５は同キッチンユニット本体の設置状況の説明図、図６は同キッチンユニット本体の設置状況の一部分解斜視図、図７は同キッチンユニット本体の動きを規制する固定部材を示す斜視図、図８（ａ）ないし（ｃ）はそれぞれ同キッチンユニット本体の底部に取り付けられるローラ回転体を示す図である。【００４８】
図４（ａ）に示すように、キッチンユニット本体１２の設置区域内の床面４５（図５）に、一対の固定部材２８が固定されている。設置区域というのは、移動可能な範囲のことである。一対の固定部材２８は、キッチンユニット本体１２の、矢印２９で示す移動方向と直交する方向の両端位置に配置されている。【００４９】
図５ないし図７に示すように、固定部材２８の、キッチンユニット本体１２との対向面には、突出部３０が設けられている。キッチンユニット本体１２の、固定部材２８との対向面には、突条部３２が設けられている。突条部３２は、突出部３０に対してキッチンユニット本体１２の移動方向に摺動可能であって上方向には移動を阻止される。【００５０】
固定部材２８の、キッチンユニット本体１２との対向面には、同対向面に接して転動する２個の車輪３４が設けられている。２個の車輪３４はキッチンユニット本体１２の平行移動をよりスムーズにする。固定部材２８の底面に、図７に示されるように、床面に固定するための取付け板３５が設けられている。この取付け板３５の周縁に取付け孔３９が設けられている。【００５１】
一対の固定部材２８により、図４（ｂ）に示すようにキッチンユニット本体１２の移動範囲が規制されると共に、移動方向（矢印２９）と直交する方向にはキッチンユニット本体１２の移動が拘束される。さらに、固定部材２８の突出部３０とキッチンユニット本体１２の突条部３２との関係により、大地震等でキッチンユニット本体１２の遊動、転倒が防止される。固定部材２８は、必要に応じて複数対が設けられてもよい。【００５２】
図４に示すように、一対の固定部材２８を結ぶ直線の上はキッチンユニット本体１２の移動を阻止しないゾーンになる。従って、この直線上に、給電、ガス、給水、給湯、排水の各種配管用の複数の配管立ち上げ口３６が設けられている。各種配管用の配管立ち上げ口３６は、固定部材２８の中心部を貫通するものや、床面４５に直接設けられたものを含んでいる。【００５３】
これらの配管立ち上げ口３６には、図７に示すように、給電、ガス、給水、給湯、排水等の各種配管のための周知のフレキシブル管３８が連結されてもよい。このようにすることにより、図１に示すように、キッチンユニット本体１２の移動時にフレキシブル管３８が柔軟に応動するので、上記配管を移動先の床面に移し替える手間が省略できる。【００５４】
キッチンユニット本体１２をスムーズに移動するために、キッチンユニット本体１２の底面に複数のローラ回転体４６が配設されている。複数のローラ回転体４６は、図８（ａ）に示すように連動軸４８により一連続に連結されている。【００５５】
ローラ回転体４６は、図８（ｂ）に示すように、ローラの一部をカバーする取付金具４７を連動軸４８に取り付けたものが適する。また、図８（ｃ）に示すように、ローラの一部をカバーする取付金具４７を設けたものであって、連動軸４８により連結しない、単独構成としたものでもよい。【００５６】
円筒状をなすローラ回転体４６を用いることにより大重量のキッチンユニット本体１２を移動し易くする。複数のローラ回転体４６を連動軸４８で連結したことにより、各回転体の回転が同期して回転するので、キッチンユニット本体１２をスムーズに平行移動することができる。【００５７】
次に、補助カウンター２４とブラケット４０の取付け構造と動作につき説明する。図９は調理場側から見たキッチンユニット本体１２を示す正面図である。
補助カウンター２４としては、１台のキッチンユニット本体１２に対して１枚の板により構成されてもよいが、ここでは３枚の板で構成された例につき説明をする。【００５８】
図９に示すように、キッチンユニット本体１２の上面に、それぞれ高さ（深さ）が異なる、加熱調理機器１４、予備の加熱調理機器１５、シンク１６が設けられている。このため、加熱調理機器１４、予備の加熱調理機器１５、シンク１６の各区域毎に補助カウンター２４Ａ、２４Ｂ、２４Ｃがそれぞれ１枚ずつ高さを変えて配置されている。【００５９】
図９において、加熱調理機器１４のところに取り付けられている補助カウンター２４Ａは、キッチンユニット本体１２の調理場側の内部の平面空間７６に沿ってほぼ水平に配置されている。
ここで、平面空間７６とは、キッチンユニット本体１２の上面に沿って水平方向に広がる内部空間である。予備の加熱調理機器１５およびシンク１６のところに取り付けられている補助カウンター２４Ｂ、２４Ｃは、キッチンユニット本体１２の調理場側のそれぞれの正面空間２２に沿ってほぼ垂直に配置されている。【００６０】
平面空間７６に沿って配置されている補助カウンター２４Ａは図１０ないし図１３に示され、正面空間２２に沿って配置されている補助カウンター２４Ｂ、２４Ｃは図１４および図１５に示されている。なお、以下の説明においては、補助カウンターの符号２４Ａ、２４Ｂ、２４Ｃは説明の都合上、区別することなく、２４と表示する。
先ず、平面空間７６に沿って配置されている補助カウンター２４について説明する。【００６１】
図１０はキッチンユニット本体１２で使用する補助カウンター２４とブラケット４０の動きを示す図で、（ａ）は補助カウンター２４とブラケット４０が動く前の状態を示す説明図、（ｂ）は補助カウンター２４とブラケット４０が動いた後の状態を示す説明図、図１１は補助カウンターとブラケットの動きをガイドするガイド部材を示す図で、（ａ）はガイド部材を示す斜視図、（ｂ）はガイド部材の上部分の平面図、（ｃ）はガイド部材の下部分の平面図、図１２の（ａ）は補助カウンターとブラケットを示す側面図、（ｂ）は補助カウンターとブラケットがガイド部材に収納された状態を示す側面図、（ｃ）はその平面図、図１３の（ａ）ないし（ｆ）はそれぞれ同補助カウンターとブラケットの動きを示す説明図である。【００６２】
図１０（ａ）に示すように、キッチンユニット本体１２の内部の平面空間７６に、横Ｊ字形をなすガイド部材８０を介して、補助カウンター２４および補助カウンター２４を支持するブラケット４０が収納されている。この状態から、補助カウンター２４およびブラケット４０が引き出されて、図１０（ｂ）に示すようにキッチンユニット本体１２の上面とほぼ同一面に沿った状態となるように移動される。【００６３】
ブラケット４０の後端部に、図１２（ａ）に示すように車輪３４が設けられている。ガイド部材８０は、図１１に示すように、下部分８０Ａと上部分８０Ｂの２つの部品を合わせて横Ｊ字形に形成されたもので、横Ｊ字形の湾曲部に、補助カウンター２４の通過が可能であるが車輪３４の通過を阻止する大きさの通路８２が設けられている。【００６４】
ガイド部材８０には車輪３４付きのブラケット４０を摺動自在に嵌入するスリット８３が設けられている。ガイド部材８０は図１２（ｂ）に示すように、車輪３４を転動させながらブラケット４０を往復動させてガイドするものである。【００６５】
車輪３４は、図１０（ａ）に示すガイド部材８０の下部分８０Ａの端部から右方に転動し、通路８２を経て上部分８０Ｂに移動できるようにされている。車輪３４のこの動きの中で、補助カウンター２４とブラケット４０が通路８２を出入りする。【００６６】
補助カウンター２４とブラケット４０は、図１３（ａ）に示した状態で図中右方に引き出される。同（ｂ）に示した状態になったとき車輪３４が通路８２のところで一時ストップする。ここで車輪３４がガイド部材の上部分８０Ｂの方向に進むように、ブラケット４０を斜め上向きに押し込むと、同（ｃ）に示した状態から同（ｄ）に示した状態となる。同（ｅ）に示すように、補助カウンター２４とキッチンユニット本体１２の上部との対向面に、互いに繋合する凸部１２Ｂと凹部１２Ａが設けられている。これらの凸部１２Ｂと凹部１２Ａを係止させると、同（ｆ）に示すように補助カウンター２４を、キッチンユニット本体１２の上面とほぼ同一面に沿った状態に配置できる。【００６７】
次に、正面空間２２に沿って配置されている補助カウンター２４について説明する。
図１４は同キッチンユニット本体で使用する、他の補助カウンターとブラケットの動きを示す図で、（ａ）は補助カウンターとブラケットが動く前の状態を示す説明図、（ｂ）は補助カウンターとブラケットが動いた後の状態を示す説明図である。【００６８】
図１５は同キッチンユニット本体で使用する、さらに他の補助カウンターとブラケットの動きを示す図で、（ａ）は補助カウンターとブラケットが動く前の状態を示す説明図、（ｂ）は補助カウンターとブラケットが動いた後の状態を示す説明図である。【００６９】
図１４（ａ）に示すように、キッチンユニット本体１２の内部の正面空間２２に補助カウンター２４が、収納されている。また、同内部の平面空間７６に沿って補助カウンター２４を支持するブラケット４０が収納されている。ブラケット４０はへの字形に形成されており、折曲部がキッチンユニット本体１２に支軸８８により回動自在に取り付けられている。【００７０】
図１４（ａ）に示された状態から、補助カウンター２４およびブラケット４０が回動されることにより、図１４（ｂ）に示すように、補助カウンター２４がキッチンユニット本体１２の上面とほぼ同一面に沿った状態となるまで移動される。このとき、ブラケット４０の後端部に重り８４を付けて置けば、ブラケット４０の回動を小さな力で行なうことができる。【００７１】
図１５（ａ）に示すように、キッチンユニット本体１２の内部の正面空間２２に、補助カウンター２４および補助カウンター２４を支持するブラケット４０が収納されている。ブラケット４０は直線状に形成されており、先端部近傍に長孔９０が設けられている。ブラケット４０は、キッチンユニット本体１２に止着されている支軸９２に長孔９０を摺動自在に装着して取り付けられている。【００７２】
図１５（ａ）に示された状態から、支軸９２を中心として補助カウンター２４およびブラケット４０が回動されて補助カウンター２４がほぼ水平になったとき、補助カウンター２４を図中右方に押し込む。この動作により長孔９０と支軸９２とが相対移動する形で補助カウンター２４およびブラケット４０が移動する。この結果、図１５（ｂ）に示すように補助カウンター２４がキッチンユニット本体１２の上面とほぼ同一面に沿った状態となるように移動される。【００７３】
ところで、大きな地震が発生したときに、キッチンユニット本体１２から補助カウンター２４やキッチンユニット本体１２に収納されている引出５０が飛び出さないようにして、安全性を高めることが望ましい。本発明においては、補助カウンター２４や引出５０が地震等の大きな外力を受けても遊動しないようにキッチンユニット本体１２にロックするロック機構５８を備えている。このロック機構について以下説明する。【００７４】
図１６はキッチンユニット本体で使用するロック機構５８の基本動作の説明図、図１７はキッチンユニット本体に収納された引出を固定している状態のロック機構を示す図で、（ａ）はロック機構を平面的に示す断面図、（ｂ）はロック機構を正面から見た状態を示す断面図、（ｃ）は補助カウンターとブラケットが動く前の状態を示す説明図、図１８はブラケットを介して補助カウンター２４を固定している状態のロック機構を示す図で、（ａ）はロック機構を平面的に示す断面図、（ｂ）はロック機構を正面から見た状態を示す断面図、（ｃ）は補助カウンターとブラケットが動いた後の状態を示す説明図である。【００７５】
この実施例におけるロック機構５８は、キッチンユニット本体１２に収納されている補助カウンター２４およびこれを支持するブラケット４０と引出５０をロックするものであり、その詳細が図１６〜図１８に示されている。【００７６】
ロック機構５８は、図１６に示すように、一端部に所定の長さのラック部６４を有し、他端部に、図１７に示される引出用透孔５４およびブラケット用透孔５６に挿入される係止部６２を有する２本の操作ロッド６０と、操作ロッド６０に直交して配置され、かつラック部６４に噛合されるピニオン７２を有する回転軸７０と、回転軸７０を回転操作するためのレバー７４とを備えている。【００７７】
レバー７４は、図１６に示すように、回転軸７０の上部に摺動軸６９を介して回転軸７０に連結されている。回転軸７０の上部は筒状に形成され、ここに摺動軸６９が上下動自在に嵌入されて連結されている。レバー７４は、使用中には摺動軸６９と共に回転軸７０から引き上げ、使用しないときは摺動軸６９と共に下降できるように構成されている。こうすることにより、レバー７４をキッチンユニット本体１２の上面から外方に突出しないようにできる。【００７８】
操作ロッド６０の係止部６２は、引出用透孔５４に挿入係止されるＬ形フック６６およびブラケット用透孔５６に挿入係止される先端部６７により形成されている。引出用透孔５４は、図１７に示されるようにキッチンユニット本体１２の内部に収容された引出５０の端面に固定された受け板５２に設けられている。【００７９】
図１７（ｂ）に示されるように、キッチンユニット本体１２に収納された状態での補助カウンター２４にブラケット４０が連結れている。ブラケット用透孔５６は、ブラケット４０の端縁の、引出用透孔５４と対向する位置に設けられている。【００８０】
操作ロッド６０は、２本１組で使用され、それぞれのラック部６４が回転軸７０のピニオン７２に噛合するように配置されている。レバー７４により回転軸７０を正逆転させることにより、それぞれが互いに逆方向に往復動する。操作ロッド６０は、１本の回転軸７０に対して上下に２組が取り付けられている。【００８１】
図１７に示されるように、操作ロッド６０のＬ形フック６６が引出用透孔５４に挿入されて引出５０を固定している。また、図１７に示された状態からレバー７４を回して回転軸７０を回動させることにより、図１８に示されるように、２本の操作ロッド６０がそれぞれ外方に伸びてＬ形フック６６が引出用透孔５４から離脱する。Ｌ形フック６６の先端部６７がブラケット用透孔５６に挿入されてブラケット４０を介して補助カウンター２４を固定する。なお、符号９４はブラケット４０をキッチンユニット本体１２に回転自在に装着する支軸を示している。【００８２】
本発明においては、操作ロッド６０を、前述した２本１組でなく、図１９に示すような１本で操作できるものを含んでいる。すなわち、図１９は１本で操作できる操作ロッドを使用したロック機構の基本動作の説明図、図２０は同ロック機構を正面から見た状態を示す断面図、図２１は同ロック機構の動作状況の説明図で、（ａ）はキッチンユニット本体に収納された引出を固定している状態のロック機構を平面的に示す断面図、（ｂ）はブラケットを介して補助カウンター２４を固定している状態のロック機構を正面から見た状態を示す断面図である。【００８３】
図１９に示す操作ロッド６０は、一端部にＴ形フック６８が設けられ、中間部に所定の長さのラック部６４が設けられ、他端部に２つのＬ型フック６６が向かい合わせに設けられている。回転軸７０とその上端に設けられているレバー７４の構造は、前述の図１６に示されたものと同じである。【００８４】
図２０および図２１（ａ）に示されるように、操作ロッド６０のＴ形フック６８とＬ形フック６６が、それぞれ引出５０端縁に固着された受け板５２に設けられた引出用透孔５４に挿入されて、引出５０を固定している。また、図２１（ａ）に示された状態から、レバー７４を回して回転軸７０を回動させることにより、図２１（ｂ）に示されるように、操作ロッド６０が図中左方に動いて、一端のＴ形フック６８が一方の引出用透孔５４から離脱すると共に、ブラケット用透孔５６に挿入される。同時に他端部のＬ形フック６６が他方の引出用透孔５４から離脱すると共に、他方のブラケット用透孔５６に挿入される。【００８５】
ところで、キッチンユニット本体上面のカウンターを、そのまま食卓として利用するには高さが若干高いという不都合をきたすことがある。
このような事態を解消できる本体送り機構につき説明する。この本体送り機構は、キッチンユニット本体上面のカウンターを食卓として利用する場合に自動的にキッチンユニット本体の高さを低くするものである。【００８６】
図２２（ａ）はキッチンユニット本体１２で使用する本体送り機構９４を示す説明図、同（ｂ）および（ｃ）は同本体送り機構の動作説明図、図２３（ａ）ないし（ｃ）はそれぞれ同本体送り機構の各部の説明図である。【００８７】
本体送り機構９４は、キッチンユニット本体１２の移動方向に沿い、かつ相対向する両側板９５Ａ、９５Ｂ間に、傾斜状態で配設される雄ねじ９６と、この雄ねじ９６に螺合されるナット９８を有する。固定部材１００は床面に固定されている。さらに、一端がキッチンユニット本体１２の底部に固着され、かつ他端にローラ１０２を回転自在に配設した支持脚１０４と、雄ねじ９６と同角度に傾斜した傾斜路を有する。さらに、ローラ１０２をガイドするガイドレール１０８を備えている。【００８８】
雄ねじ９６は、キッチンユニット本体１２の両側板９５Ａ、９５Ｂにそれぞれ固定した軸受け１１０Ａ、１１０Ｂに、両端部が支持されて、回転自在に取り付けられている。雄ねじ９６の一端に、ホィール１１２、あるいはスプロケット、平歯車等のいずれかが装着され、図示しないが、ベルト、チェーン等を介して雄ねじ９６を回転駆動できるようにされている。【００８９】
ガイドレール１０８は、図２３（ｂ）に解体された状態で示されている。この図に示すように、傾斜路を形成する２つの箱体１０６の各上面に、ローラ挿入孔１１４とスリット１１６が設けられている。２つの箱体１０６はそれぞれ傾斜した状態で直列に連結されている。ローラ挿入孔１１４にはローラ１０２を配設した支持脚１０４が挿入される。【００９０】
箱体１０６の傾斜路の上端部１０６Ａと下端部１０６Ｂは水平面にされている。すなわち、傾斜路の上端部１０６Ａは、図２２（ｂ）においてローラ１０２が着地している箇所であり、同下端部１０６Ｂは、図２２（ｃ）においてローラ１０２が着地している箇所である。箱体１０６の傾斜路の上端部１０６Ａと下端部１０６Ｂを水平面とすることにより、キッチンユニット本体１２を安定よく固定した状態を保持できる。【００９１】
２つの箱体の下部は基板１１８に固定されている。２つの箱体の上部には、図２３（ｂ）に示すように、ローラ挿入孔１１４の開口部とほぼ同じ高さのフラット部１２４が３箇所に設けられている。これらのフラット部１２４に蓋板１２０が載置されて固定される。蓋板１２０の中央部に２つのスリット１２２が長さ方向に沿って設けられている。これらの２つのスリット１２２と、２つの箱体１０６の各上面に設けられたスリット１１６とは互いに対応する位置に設けられている。【００９２】
支持脚１０４は、平板からなり、下端の両側に一対のローラ１０２を回転自在に配設している。支持脚１０４は、ローラ１０２をローラ挿入孔１１４内に挿入した状態で、箱体の上面のスリット１１６と蓋板１２０のスリット１２２とを貫通すると共に、各スリット１１６、スリット１２２に沿って摺動可能な形状とされている。【００９３】
ガイドレール１０８は、図２２（ａ）に示すように床面４５より下位に設置され、蓋板１２０によって遮蔽される。蓋板１２０は床面と同一高さに設置される。床上からは、蓋板１２０によりガイドレール１０８やローラ１０２が見えず、箱体の上面のスリット１１６と蓋板１２０のスリット１２２を貫通した支持脚１０４の上部が見えるようにされている。【００９４】
２つの支持脚１０４は、キッチンユニット本体１２の底部に適当間隔を置いて配設され、図２２（ａ）に示すように、それぞれガイドレール１０８の２つのローラ挿入孔１１４に同時に挿入される位置に置かれる。すなわち、連結された２つの箱体１０６の各ローラ挿入孔１１４の設置間隔と、キッチンユニット本体１２の底部に固着された２つの支持脚１０４の設置間隔とは一致している。【００９５】
本体送り機構９４は、雄ねじ９６が床面に固定された固定部材１００のナット９８に螺合された状態で回転すると、ナット９８に対して相対的に直線運動をすることから、キッチンユニット本体１２を図２２（ｂ）に示す位置から、図２２（ｃ）に示す位置に移動させながら、上面を下降させる。雄ねじ９６を逆転させることにより、キッチンユニット本体１２を元の位置に戻すことができる。すなわち、本体送り機構９４により、キッチンユニット本体１２を移動しながら昇降させて上面の高さを変えることができる。【００９６】
なお、本体送り機構として、図２６に示したように、雄ねじ９６を傾斜させないで水平に配置し、床面に固定された固定部材１００のナット９８に螺合された状態に構成することにより、雄ねじ９６の回動によりキッチンユニット本体１２を床面上で水平移動させることが可能である。本発明はこれを含むものとする。【００９７】
図２４は前述の本体送り機構９４を備えたキッチンユニット本体の他の例を示す図で、（ａ）は本体送り機構９４の動作前の当該キッチンユニット本体を示す説明図、（ｂ）は本体送り機構９４の動作後の当該キッチンユニット本体を示す説明図である。【００９８】
図２４に示すキッチンユニット本体１２は、一方にキッチンユニット本体１２に収納された状態での補助カウンター２４と、他方に第２の補助カウンター１３２とを備えるものである。一方の補助カウンター２４は前述した構成のものである。他方の第２の補助カウンター１３２は、支持部材１３４に支持され、下端にキャスタ１３６が配設されており、キッチンユニット本体１２に対しては上下方向に摺動可能で、かつ水平方向には係止された状態で連結されている。【００９９】
第２の補助カウンター１３２は、予め、キッチンユニット本体１２が本体送り機構９４の稼働により最も下降したときの上面とほぼ同じ高さとなるように、支持部材１３４等の長さが設定されている。【０１００】
本体送り機構９４を稼働してキッチンユニット本体１２を図２４（ａ）に示す位置から、図２４（ｂ）に示す位置に移動させながら、キッチンユニット本体１２の上面を下降させる。このとき、第２の補助カウンター１３２は、キャスタ１３６が転動してキッチンユニット本体１２に付随して床面上を水平方向に昇降しないで移動し、キッチンユニット本体１２の上面とほぼ同じ高さとなる。雄ねじ９６を逆転させることにより、第２の補助カウンター１３２と共にキッチンユニット本体１２を元の位置に戻すことができる。【０１０１】
図２５（ａ）は従来のキッチンユニット本体を使用した部屋の見取り図であって、従来のキッチンユニット本体１２６とテーブル１２８と４つの椅子２６と食器棚２１を配置した例を示している。【０１０２】
図２５（ｂ）および（ｃ）は本発明に係るキッチンユニット本体を使用した部屋の見取り図であって、（ｂ）は、図２５（ａ）に示した部屋と同一の部屋に本発明に係るキッチンユニットを使用して３つの椅子２６と食器棚２１を配置した例、（ｃ）は、図２５（ａ）に示した部屋と同一の部屋に本発明に係るキッチンユニットを使用して補助カウンター２４を開いて６つの椅子２６と食器棚２１を配置した例をそれぞれ示している。【０１０３】
これらの図から分かるように、本発明に係るキッチンユニット本体１２を使用した部屋は、従来のキッチンユニット本体を使用した部屋と比較した場合、他に活用可能なスペース１３０を生じさせることができる。換言すれば、同スペース分を縮小化できるという利点がある。【０１０４】
図２７（ａ）はキッチンユニット本体の位置決め機構１４９を示す斜視図、（ｂ）は同位置決め機構を分解して示す斜視図である。図２８は同位置決め機構を備えたキッチンユニット本体の設置状況の説明図である。図２８の（ｂ）は同（ａ）の主要部斜視図である。【０１０５】
図２７は、キッチンユニット本体の設置区域内の床面に固定された固定部材１５０を示している。この固定部材１５０は、前述した固定部材２８と同様の機能を有するもので、排水管１５２、給水管１５４、給湯管１５６をそれぞれジョイント部等の連結管を介して立ち上げている。【０１０６】
キッチンユニット本体の位置決め機構１４９は、次のように構成されている。すなわち、固定部材１５０の上辺に、Ｖ字形の突出部１５８を形成した２対の取付部材１５９がそれぞれ装着されている。【０１０７】
キッチンユニット本体１２（図２９）の、突出部１５８に対向する各位置に、突出部１５８に嵌り合うＶ字形の凹部１６０を形成した受け部材１６１がそれぞれ配設されている。【０１０８】
なお、突出部１５８と凹部１６０とは互いに入れ替わってもよい。この場合には取付部材１５９にＶ字形の凹部１６０が形成され、これに対向する受け部材１６１にＶ字形の突出部１５８が形成された構成となる。【０１０９】
図２８（ｂ）を見てわかるように、キッチンユニット本体１２の底板１６５には、固定部材１５０と嵌り合う枠状の孔が設けられている。固定部材１５０が底板１６５と衝突するから、キッチンユニット本体１２は、図２８（ｂ）中に示した矢印の方向にこの矢印の範囲で移動させることができる。【０１１０】
図２７に示すように、取付部材１６０の両端部に２対の車輪１６２が設けられている。これらの車輪１６２は各外周面が固定部材１５０の側面より外方に突出するように取り付けられている。【０１１１】
２対の車輪１６２の使用状態は図２８に示している。すなわち、キッチンユニット本体１２の内部に、キッチンユニット本体１２の移動方向に延びる１対のガイド金具１６４が固定されている。２対の車輪１６２は１対のガイド金具１６４にそれぞれ接して転動しキッチンユニット本体１２の移動をよりスムーズにする。【０１１２】
ところで、図２７に示す固定部材１５０の上面から立ち上がっている排水管１５２、給水管１５４、給湯管１５６は、キッチンユニット本体内のシンクに向かって上方に延びている。給水管１５４と給湯管１５６は、排水管１５２よりも細く固定部材１５０の上面からシンクに至る部分に弛みが生じ易い。【０１１３】
このため、給水管１５４と給湯管１５６は、キッチンユニット本体の移動に伴って生じる弛みにより、両端のジョイント部に過度の負荷を掛けることになり損傷し易いというおそれがある。本発明においては、以下に示す弛み防止機構を設けた構成とすることにより、このような問題点を解消している。【０１１４】
図２９の（ａ）ないし（ｃ）はキッチンユニット本体の位置決め機構１４９と、給水管１５４および給湯管１５６の弛み防止機構との構成および動作の説明図である。図３０は同弛み防止機構を構成する３個の押えリングを示す図で、（ａ）は３個の押えリングを展開し平面に並べた状態を示す説明図、（ｂ）は３個の押えリングを示す正面図である。図３１の（ａ）ないし（ｃ）は同弛み防止機構の動作の説明図である。【０１１５】
図２９に示される給水管１５４および給湯管１５６の弛み防止機構は、キッチンユニット本体１２内の上部に、固定部材１５０の上面から直線的に立ち上がっている給水管１５４および給湯管１５６（説明の便宜上、給湯管１５６のみ示している。）の湾曲部分１７０を挿通させる、３個の押えリング１６８ａ、１６８ｂ、１６８ｃを備えている。３個の押えリング１６８ａ、１６８ｂ、１６８ｃは、間隔を置いてそれぞれ配置される【０１１６】
３個の押えリング１６８ａ、１６８ｂ、１６８ｃは、図３０の（ａ）、（ｂ）に示されるように、それぞれ順次縮小する大きさの矩形の透孔１７２ａ、１７０ｂ、１７０ｃを有する平面矩形の板体により形成されている。【０１１７】
これらの押えリング１６８ａ、１６８ｂ、１６８ｃは、図２９、図３１に示されるように、給水管１５４および給湯管１５６の湾曲部分１７０の動きを適当な範囲で規制して、キッチンユニット本体の移動に伴って生じる給水管１５４および給湯管１５６の弛みを防止する作用を行う。【０１１８】
図２９の（ａ）ないし（ｃ）はキッチンユニット本体の移動に伴なう給水管１５４および給湯管１５６の湾曲部分１７０の動きを示している。すなわち、図２９の（ａ）は固定部材１５０に対して、キッチンユニット本体１２が図中の左方に移動する前の状態、（ｂ）は移動中の状態、（ｃ）は移動した後の状態をそれぞれ示している。【０１１９】
図３１の（ａ）ないし（ｃ）は、図２９の（ａ）ないし（ｃ）における給水管１５４および給湯管１５６の各湾曲部分１７０に対応する各湾曲部分１７０を若干拡大して示している。３個の押えリング１６８ａ、１６８ｂ、１６８ｃは、湾曲部分１７０の最大曲率円１７４の中心点Ｏを中心として放射状に配置されている。給水管１５４および給湯管１５６の動きを、矩形の透孔１７２ａ、１７０ｂ、１７０ｃにより規制することにより、給水管１５４および給湯管１５６の弛みが防止される。【０１２０】
なお、上記した弛み防止機構は、キッチンユニット本体１２内の上部に固定した３個の押えリング１６８ａ、１６８ｂ、１６８ｃからなるものに限定されるものではない。例えば、２個以上の押えリングを使用したり、あるいは図３０（ａ）に１点鎖線で示すように順次内径が縮小するチューブ（図示せず）を使用してもよい。【０１２１】
次に、図２７（ａ）に示したキッチンユニット本体の位置決め機構１４９を、図２９により説明する。
位置決め機構１４９の受け部材１６１は、図２９に示すように、キッチンユニット本体１２の、固定部材１５０に設けたＶ字形の突出部１５８との対向部に設置される。【０１２２】
図２９（ａ）ないし（ｃ）に示すように、キッチンユニット本体１２を移動したとき、固定部材側の突出部１５８とキッチンユニット本体側の受け部材の凹部１６０とが嵌り合うようにする。このＶ字形どうしの嵌り合いにより、移動中のキッチンユニット本体１２の移動時の位置ずれが自動的に修正され、キッチンユニット本体を所定の位置に迅速に位置決めすることができる。【０１２３】
図３２、図３３はキッチンユニット本体の移動規制機構１７５を示す図、図３４、図３５は同移動規制機構１７５の配置および動作状況を示す図である。【０１２４】
移動規制機構１７５は、床面に固定される枠体１７６と、キッチンユニット本体１２の下部に固定されるスライダ１８０と、スライダ１８０のスライドを停止するストッパ１８８とを備えている。【０１２５】
枠体１７６は、図３２（ｂ）、図３３（ａ）に示されるように、細長の箱型を呈しており、上面中央に長さ方向に延びるスリット１７８が設けられ、両端にビス孔を有する取付け板１７９が設けられている。取付け板１７９は枠体１７６を床面に固定するためのものである。スリット１７８は、キッチンユニット本体１２の移動ストロークと少なくとも同じ長さを有している。【０１２６】
スライダ１８０は、図３２（ｅ）に示されるように構成されている。すなわち、中間板１８２の上端に、キッチンユニット本体１２の下部に固定するための、ビス孔を有する取付け板１８４が設けられ、中間板１８２の下端に、抜け止め防止用の鉤形の係合片１８６が設けられている。【０１２７】
スライダ１８０は、中間板１８２がスリット１７８に嵌入されてスリット１７８に沿ってスライド自在に枠体１７６に取り付けられている。また、スライダ１８０は、係合片１８６がスリット１７８から外方に抜け出ない形状であることにより、枠体１７６から離脱不能に取り付けられている。【０１２８】
ストッパ１８８は、図３２（ｃ）、（ｄ）に示されるように枠体１７６内に、スリット１７８に沿って配置された軸体１９０と、軸体１９０の両端に固定されたペダル１９２と、軸体１９０の外面に軸体の長さ方向に沿って設けられた２本の突条１９４、１９８とから構成されている。【０１２９】
軸体１９０の両端部は枠体１７６の外に突出されている。ペダル１９２は軸体１９０の両端に軸体と直交する状態で設けられている。２本の突条１９４、１９８のうち、一方の突条１９４はストッパの役割を有し、他方の突条１９８は軸体１９０を一定の状態に維持するために回転させる重りの役割を有する。【０１３０】
図３３によりストッパ１７８の機能、動作について説明する。
図３３（ａ）は、横向きとなった突条１９４の端面１９６（図３２（ｃ））がスライダ１８０の中間板１８２の端面を押えてスライダ１８０の動きを規制している。これが移動停止の状態である。移動停止の状態では、スライダ１８０が枠体１７６の端部に位置しており、キッチンユニット本体１２を使用している。【０１３１】
図３３（ｂ）は、軸体１９０が回転して、下向きとなった突条１９４の端面１９６が、スライダ１８０の中間板１８２の端面から外れて、スライダ１８０の動きの規制を解除している。これが移動可能な状態を示している。この移動可能な状態では、キッチンユニット本体１２を移動できる。【０１３２】
図３３（ｃ）は、軸体１９０を回転させるペダル１９２を示している。このペダル１９２を踏んだときは突条１９４が図３３（ｂ）に示した横向き状態になる。ペダル１９２を踏んでいないときは突条１９４が突条１９８の重量により軸体１９０が回転して図３３（ａ）に示した下向き状態になる。すなわち、突条１９８の重量により軸体１９０を一定の状態に維持する。【０１３３】
図３４および図３５は、移動規制機構１７５の使用状況を示す説明図である。図３４に示した状態からキッチンユニット本体１２を移動させた状態を図３５に示している。【０１３４】
移動規制機構１７５は、枠体１７６をキッチンユニット本体１２の移動方向に沿って床面に固定し、スライダ１８０をキッチンユニット本体１２の下部に固定することにより使用される。【０１３５】
移動規制機構１７５をこのように配設することにより、キッチンユニット本体１２の移動をスムーズに行えると共に、キッチンユニット本体１２がスライダ１８０を介して床面に固定されるので、大地震等によりキッチンユニット本体１２が遊動や転動することを防止できる。【０１３６】
図３６〜図３８は既に説明済みのため、図３９について説明をする。図３９はモータによりキッチンユニット本体１２を駆動する構造を示し、（ａ）は主要部斜視図で（ｂ）はその横断面図である。
図の固定手段２００は床面５５に固定されている。キッチンユニット本体１２の底板２０８には、帯状の孔２０９が形成されている。固定手段２００は、この孔２０９を貫通して、底板２０８の上面に頭部を配置している。この固定手段２００の頭部は、雄ねじ２０４と螺合している。雄ねじ２０４は、底板２０８に固定された軸受け２０６に支持されている。モータ駆動ギヤ２１０はモータ２１４により回転駆動される。モータ駆動ギヤ２１０が回転すると雄ねじ駆動ギヤ２１２が回転して、雄ねじ２０４が回転する。雄ねじ２０４が回転すると、固定手段２００は雄ねじ２０４に沿って相対的に移動する。このとき、固定手段２００に設けられた車輪２０２が底板２０８上を転がる。こうして、底板２０８と一体化されたキッチンユニット本体１２は、孔２０９の方向に、その長さだけ移動することができる。
【符号の説明】
【０１３７】
１０  キッチンユニット
１２  キッチンユニット本体
１２Ａ  凹部、１２Ｂ  凸部
１３  天板
１４  加熱調理機器
１５  予備の加熱調理機器
１６  シンク
１７  側板
１８  キッチン
２０  ダイニング
２１  食器棚
２２  正面空間
２４  補助カウンター
２４Ａ  凸部
２６  椅子
２８  固定部材
３０  突出部
３２  突条部
３４  車輪
３５  取付け板
３６  配管立ち上げ口
３８  フレキシブル管
３９  取付け孔
４０  ブラケット
４２  換気装置
４３  円筒体
４４  フード
４５  床面
４６  ローラ回転体
４７  取付金具
４８  連動軸
５０  引出
５２  受け板
５４  引出用透孔
５６  ブラケット用透孔
５８  ロック機構
６０  操作ロッド
６２  係止部
６４  ラック部
６６  Ｌ型フック
６７  先端部
６８  Ｔ型フック
６９  摺動軸
７０  回転軸
７２  ピニオン
７４  レバー
７６  平面空間
８０  ガイド部材
８２  通路
８３  スリット
８４  重り
８８  支軸
９０  長孔
９２  支軸
９４  本体送り機構
９５Ａ  側板
９５Ｂ  側板
９６  雄ねじ
９８  ナット
１００  固定台
１０１  ハンドル
１０２  ローラ
１０４  支持脚
１０６  箱体
１０８  ガイドレール
１１０Ａ  軸受け、１１０Ｂ  軸受け
１１２  ホィール
１１４  ローラ挿入孔
１１６  スリット
１１８  基板
１２０  蓋板
１２２  スリット
１２４  フラット部
１３２  第２の補助カウンター
１３４  支持部材
１３６  キャスタ
１４０  透孔
１４４  回転機構
１４６ａ、１４６ｂ  車輪
１４７  本体
１４８ａ、１４８ｂ  リング状保持板
１４９  位置決め機構
１５０  固定部材
１５２  排水管
１５４  給水管
１５６  給湯管
１５８  突出部
１５９  取付部材
１６０  凹部
１６１  受け部材
１６２  車輪
１６４  ガイドレール
１６５  底板
１６８ａ、１６８ｂ、１６８ｃ  押えリング
１７０  湾曲部分
１７２ａ、１７０ｂ、１７０ｃ  透孔
１７４  最大曲率円
１７５  移動規制機構
１７６  枠体
１７８  スリット
１７９  取付け板
１８０  スライダ
１８２  中間板
１８４  取付け板
１８６  係合片
１８８  ストッパ
１９０  軸体
１９２  ペダル
１９４  突条
１９６  突条の端面
１９８  突条
２００  固定手段
２０２  車輪
２０４  雄ねじ
２０６  軸受け
２０８  底板
２１０  モータ駆動ギヤ
２１２  雄ねじ駆動ギヤ
【図１】
0005554242.tif 000002
【図２】
0005554242.tif 000003
【図３】
0005554242.tif 000004
【図４】
0005554242.tif 000005
【図５】
0005554242.tif 000006
【図６】
0005554242.tif 000007
【図７】
0005554242.tif 000008
【図８】
0005554242.tif 000009
【図９】
0005554242.tif 000010
【図１０】
0005554242.tif 000011
【図１１】
0005554242.tif 000012
【図１２】
0005554242.tif 000013
【図１３】
0005554242.tif 000014
【図１４】
0005554242.tif 000015
【図１５】
0005554242.tif 000016
【図１６】
0005554242.tif 000017
【図１７】
0005554242.tif 000018
【図１８】
0005554242.tif 000019
【図１９】
0005554242.tif 000020
【図２０】
0005554242.tif 000021
【図２１】
0005554242.tif 000022
【図２２】
0005554242.tif 000023
【図２３】
0005554242.tif 000024
【図２４】
0005554242.tif 000025
【図２５】
0005554242.tif 000026
【図２６】
0005554242.tif 000027
【図２７】
0005554242.tif 000028
【図２８】
0005554242.tif 000029
【図２９】
0005554242.tif 000030
【図３０】
0005554242.tif 000031
【図３１】
0005554242.tif 000032
【図３２】
0005554242.tif 000033
【図３３】
0005554242.tif 000034
【図３４】
0005554242.tif 000035
【図３５】
0005554242.tif 000036
【図３６】
0005554242.tif 000037
【図３７】
0005554242.tif 000038
【図３８】
0005554242.tif 000039
【図３９】
0005554242.tif 000040